(57)【要約】【課題】ハングアップ状態となっても機器本体から電池を取り外す等の煩雑な作業を強いられることなく復旧できるようにする。【解決手段】リモコン２と接続可能な電子機器において、リモコン２側には、操作部２２の操作部材同時押しを検出するとリセット信号を発生する同時押し検出回路６０を設ける。機器本体１側には、リセット信号を受信したことに応じてＣＰＵ１１がリセット動作するように電源回路部１９を制御するリセット回路７０を設ける。リモコンと２と機器本体１とは、同時押し検出回路６０から発生されるリセット信号をリセット回路７０に導くためのリセット専用ライン５０で接続する。【選択図】      図１
2006109158.tif 000002
【特許請求の範囲】
【請求項１】
遠隔操作装置と接続可能な電子機器において、
該電子機器の全体動作を制御するシステム制御手段と、
このシステム制御手段への電力供給を行う電源手段と、
上記遠隔操作装置から送信されるリセット信号を受信するリセット信号受信手段と、
このリセット信号受信手段によりリセット信号を受信したのちに上記システム制御手段がリセット動作するように上記電源手段を制御する電源制御手段と、
を具備することを特徴とする電子機器。
【請求項２】
上記電源制御手段は、上記リセット信号を受信したのちに上記システム制御手段への電力供給を一旦停止した後、再度上記システム制御手段への電力供給を行うように制御することを特徴とする請求項１に記載の電子機器。
【請求項３】
上記電源制御手段は、上記システム制御手段への電力供給を一旦停止した後、上記リセット信号を受信している間は上記システム制御手段への電力供給の再開を行わないように制御することを特徴とする請求項２に記載の電子機器。
【請求項４】
上記電源制御手段は、上記システム制御手段とは独立して動作可能であることを特徴とする請求項１に記載の電子機器。
【請求項５】
電子機器と該電子機器を外部から操作する遠隔操作装置とを備えた電子機器システムにおいて、
上記電子機器の全体動作を制御するシステム制御手段と、
このシステム制御手段への電力供給を行う電源手段と、
上記遠隔操作装置に設けられ、リセット信号を発生するリセット信号発生手段と、
このリセット信号発生手段により発生されるリセット信号を上記遠隔操作装置から上記電子機器へ送信するリセット信号送信手段と、
このリセット信号送信手段により送信されるリセット信号を受信したのちに上記システム制御手段がリセット動作するように上記電源手段を制御する電源制御手段と、
を具備することを特徴とする電子機器システム。
【請求項６】
上記電源制御手段は、上記リセット信号を受信したのちに上記システム制御手段への電力供給を一旦停止した後、再度上記システム制御手段への電力供給を行うように制御することを特徴とする請求項５に記載の電子機器システム。
【請求項７】
上記電源制御手段は、上記システム制御手段への電力供給を一旦停止した後、上記リセット信号を受信している間は上記システム制御手段への電力供給の再開を行わないように制御することを特徴とする請求項６に記載の電子機器システム。
【請求項８】
上記電源制御手段及び上記リセット信号発生手段は、上記システム制御手段とは独立して動作可能であることを特徴とする請求項５に記載の電子機器システム。
【請求項９】
上記リセット信号発生手段は、上記遠隔操作装置に設けられた複数の操作部材を同時に操作したときに上記リセット信号を発生するように構成されていることを特徴とする請求項５に記載の電子機器システム。
【請求項１０】
上記リセット信号発生手段は、論理回路またはマイクロコンピュータを含むことを特徴とする請求項８に記載の電子機器システム。
【請求項１１】
格納されたオーディオデータを再生可能なオーディオ再生装置と、上記オーディオ再生装置に接続されるイヤホンと一体的に設けられ上記オーディオ再生装置を外部から操作する遠隔操作装置とを備えるオーディオ再生システムにおいて、
上記オーディオ再生装置の全体動作を制御するシステム制御手段と、
このシステム制御手段への電力供給を行う電源手段と、
上記遠隔操作装置に設けられ、リセット信号を発生するリセット信号発生手段と、
このリセット信号発生手段により発生されるリセット信号を上記遠隔操作装置から上記オーディオ再生装置に設けられたイヤホン接続端子を介して上記オーディオ再生装置へ送信するリセット信号送信手段と、
このリセット信号送信手段により送信されるリセット信号を受信したのちに上記システム制御手段がリセット動作するように上記電源手段を制御する電源制御手段と、
を具備することを特徴とするオーディオ再生システム。
【発明の詳細な説明】
【技術分野】
【０００１】
本発明は、遠隔操作装置（以下、リモコンと称する）を使用することで外部から操作可能な電子機器、例えばオーディオ再生装置に関する。
【背景技術】
【０００２】
従来よりリモコンを使用する電子機器として、ハードディスク等の記憶媒体に音楽データをファイル形式で保存し、この音楽データをＣＰＵで処理して音楽を再生するオーディオ再生装置，いわゆる携帯型プレーヤがある。そして近年では、この携帯型プレーヤに対しても携帯電話やデジタルカメラ等の携帯機器と同様に多機能化が要望されており、例えば音楽とともに画像を再生する機能を付加すること等が考えられている。しかるに、多機能化はプログラムの複雑化を招いており、プログラムにバグがあったためにＣＰＵが暴走してハングアップ状態となってしまい、操作不能に陥る危険性が高まっていた。
【０００３】
ところで通常、ＣＰＵがハングアップ状態になってしまった場合、ＣＰＵをリセットすることによってＣＰＵは復旧する。このため、ノート型パーソナルコンピュータ等の中には専用のリセットスイッチを設け、ＣＰＵがハングアップ状態となった際にはこのリセットスイッチを操作することで、ＣＰＵを簡単にリセットできるようにしたものはあった。
【０００４】
しかし携帯型プレーヤは、製品としてのデザイン性が重視される上、コストを少しでも下げるために、機器本体から余分なスイッチを１つでも減らすことが求められていた。そこで従来、専用のリセットスイッチを機器本体から排除するために、機器本体にスイッチ同時押圧時間検出回路を設け、ＣＰＵが暴走してハングアップした際には、電源スイッチと少なくとももう１個のスイッチとが所定時間以上同時に押圧されたことを検出したときに、スイッチ同時押圧時間検出回路からリセット信号をＣＰＵのリセット入力端子に出力して、ＣＰＵをリセットする方法があった（例えば、特許文献１参照）。
【特許文献１】特開平１１-９５８７５号公報
【発明の開示】
【発明が解決しようとする課題】
【０００５】
しかしながら、上述したようにリセット信号をＣＰＵのリセット入力端子に出力してＣＰＵをリセットする方法は、ＣＰＵのハングアップ状態がリセット入力端子からの入力を受付けない状態であった場合には機能しないという問題があった。
【０００６】
このような場合には、ユーザは機器本体から電池を取り外す等して強制的に主電源を切ることにより、ＣＰＵをリセットするしかなかった。
【０００７】
本発明はこのような事情に基づいてなされたもので、その目的とするところは、リモコンを用いて遠隔操作可能な電子機器、例えばオーディオ再生装置において、リセット入力不能なハングアップ状態となっても機器本体から電池を取り外す等の煩雑な作業を強いられることなく復旧できるようにすることにある。
【課題を解決するための手段】
【０００８】
本発明は、リモコンと接続可能な電子機器において、該電子機器の全体動作を制御するシステム制御手段と、このシステム制御手段への電力供給を行う電源手段と、リモコンから送信されるリセット信号を受信するリセット信号受信手段と、このリセット信号受信手段によりリセット信号を受信したのちにシステム制御手段がリセット動作するように電源手段を制御する電源制御手段とを備えたものである。  
かかる構成により、本発明の電子機器は、リモコンから送信されるリセット信号を受信したのちにシステム制御手段がリセット動作する。
【０００９】
この発明において、電源制御手段は、リセット信号を受信したのちにシステム制御手段への電力供給を一旦停止した後、再度システム制御手段への電力供給を行うように制御する。こうすることにより、システム制御手段はリセット動作後に再起動する。
【００１０】
また電源制御手段は、システム制御手段への電力供給を一旦停止した後、リセット信号を受信している間はシステム制御手段への電力供給の再開を行わないように制御する。
【００１１】
また電源制御手段は、システム制御手段とは独立して動作可能である。
【００１２】
また本発明は、電子機器と該電子機器を外部から操作するリモコンとを備えた電子機器システムにおいて、電子機器の全体動作を制御するシステム制御手段と、このシステム制御手段への電力供給を行う電源手段と、リモコンに設けられ、リセット信号を発生するリセット信号発生手段と、このリセット信号発生手段により発生されるリセット信号をリモコンから電子機器へ送信するリセット信号送信手段と、このリセット信号送信手段により送信されるリセット信号を受信したのちにシステム制御手段がリセット動作するように電源手段を制御する電源制御手段とを備えたものである。
【００１３】
かかる構成により、本発明の電子機器システムは、リモコンからリセット信号を送信することによって、電子機器のシステム制御手段がリセット動作する。
【００１４】
この発明においても、電源制御手段は、リセット信号を受信したのちにシステム制御手段への電力供給を一旦停止した後、再度システム制御手段への電力供給を行うように制御する。こうすることにより、電子機器のシステム制御手段はリセット動作後に再起動する。
【００１５】
また電源制御手段は、システム制御手段への電力供給を一旦停止した後、リセット信号を受信している間はシステム制御手段への電力供給の再開を行わないように制御する。
【００１６】
また電源制御手段及びリセット信号発生手段は、システム制御手段とは独立して動作可能である。
【００１７】
またリセット信号発生手段は、リモコンに設けられた複数の操作部材を同時に操作したときにリセット信号を発生するように構成されている。
【００１８】
このリセット信号発生手段は、論理回路またはマイクロコンピュータを含んで構成されたものである。
【００１９】
また本発明は、格納されたオーディオデータを再生可能なオーディオ再生装置と、該オーディオ再生装置に接続されるイヤホンと一体的に設けられオーディオ再生装置を外部から操作するリモコンとを備えるオーディオ再生システムにおいて、オーディオ再生装置の全体動作を制御するシステム制御手段と、このシステム制御手段への電力供給を行う電源手段と、リモコンに設けられ、リセット信号を発生するリセット信号発生手段と、このリセット信号発生手段により発生されるリセット信号をリモコンからオーディオ再生装置に設けられたイヤホン接続端子を介してオーディオ再生装置へ送信するリセット信号送信手段と、このリセット信号送信手段により送信されるリセット信号を受信したのちにシステム制御手段がリセット動作するように電源手段を制御する電源制御手段とを備えたものである。
【発明の効果】
【００２０】
かかる手段を講じた本発明によれば、リモコンを用いて遠隔操作可能な電子機器、例えばオーディオ再生装置において、容易にリセット動作を行うことができる。
【発明を実施するための最良の形態】
【００２１】
以下、本発明を実施するための最良な形態について、図面を用いて説明する。  
なお、この実施の形態は、リモコンを用いて遠隔操作可能な電子機器の一態様として、音楽や画像等のコンテンツを再生するデジタルカメラ機能付のオーディオ再生装置，いわゆる携帯型プレーヤに本発明を適用した場合である。
【００２２】
図１は本実施の形態における携帯型プレーヤの要部構成を示すブロック図である。同図において、符号１は機器本体であるプレーヤ本体を示しており、符号２はプレーヤ本体１を遠隔操作可能なリモコンを示している。リモコン２は、プレーヤ本体１に対して着脱自在に接続されるイヤホン３と一体的に設けられている。
【００２３】
プレーヤ本体１には、当該プレーヤ本体１の全体動作を制御するシステム制御手段としてのＣＰＵ１１、プログラムなどの固定的データが予め格納されたＲＯＭ（Read Only Memory）１２、各種データを一時的に格納するためのメモリエリアが形成されたＲＡＭ（Random Access Memory）１３、音楽や画像等の各種コンテンツを保存するためのＨＤＤ（Hard Disk Drive）装置等で構成された記憶部１４、ＵＳＢ（Universal Serial Bus）インターフェイス等の外部機器接続部１５、音楽データのディジタル信号をアナログ信号に変換するＤ／Ａ（Digital/Analog）コンバータ１６、ＬＣＤ（Liquid Crystal Display）等を用いたタッチパネル付の表示部１７、ＣＣＤ（Charge Coupled Device）カメラモジュールで構成される撮像部１８及びＣＰＵ１１を含む各部への電力供給を行う電源手段としての電源回路部１９などが搭載されている。
【００２４】
ＣＰＵ１１は、ＲＯＭ１２，ＲＡＭ１３，記憶部１４，外部機器接続部１５と、アドレスバス４１及びデータバス４２を介して接続されている。またＣＰＵ１１は、Ｄ／Ａコンバータ１６，表示部１７及び撮像部１８とデータバス４２を介して接続されている。さらにＣＰＵ１１は、電源回路部１９と制御コマンドライン４３で接続されている。
【００２５】
タッチパネル付表示部１７には、再生ボタンや停止ボタンなどの各種のＧＵＩ（Graphical User Interface）ボタンが表示される。これらのＧＵＩボタンを指でタッチ操作することによって、プレーヤ本体１から再生や停止などの各種動作を指示する。また、本体の設定やモード設定なども、表示部１７に表示されるＧＵＩボタンをタッチ操作することによって行う。また、この表示部１７を用いて記憶部１４に保存されている静止画や動画の閲覧や編集を行うことも可能である。さらに、音楽と画像とを組み合わせて多彩なスライドショーを閲覧したり編集したりすることも可能である。
【００２６】
また、撮像部１８のシャッタボタンも表示部１７にＧＵＩボタンとして表示され、このボタンを押すことでカメラ機能のシャッタが切れる。本体の設定により、シャッタボタンが一度押されるとオートフォーカスされ、もう一度押されるとシャッタが切れるように変更することも可能である。
【００２７】
電源回路部１９は、ＵＳＢ電源バス，バッテリあるいはＡＣアダプタを介して供給される電源４４からの電力をプレーヤ本体１に内蔵の２次電池に蓄え、ＣＰＵ１１やその周辺デバイスに対して適正な電圧に変換して振り分けるものである。この電源回路部１９には、プレーヤ本体１に設けられた電源ボタン４５が接続されている。電源ボタン４５は、ホールドボタンと兼用となっている。電源オフ状態において、電源ボタン４５が押圧操作されると、電源回路部１９内のスイッチがオンし、電源４４とプレーヤ本体１とが接続状態となる。この接続状態は、ＣＰＵ１１から制御コマンドライン４３を介して電源オフの指示コマンドがあるまで維持される。
【００２８】
また、電源オン状態において、電源ボタン４５が押圧操作されると、ソフトウェアによりその押圧時間によってホールド操作なのか電源オフ操作なのかが判別されて処理される。すなわち、電源ボタン４５が押圧されたことを示す電圧が出力されると、この電圧が出力されている時間をＣＰＵ１１が内部クロックでカウントする。そして、予め設定された値までカウントを続けると電源オフ操作であると判別し、ＣＰＵ１１は、システムをシャットダウンする処理を実行した後、電源回路部１９に対して電源オフの指示コマンドを送出する。これに対し、予め設定された値までカウントする前に電源ボタン４５が押圧されたことを示す電圧が出力されなくなるとホールド操作であると判別し、ＣＰＵ１１は、表示部１７に表示されている各種ＧＵＩボタンの操作入力を無効にする等のホールド処理を行う。このとき、表示部１７の表示を消去して、電源が入っていることを示すインジケータ（例えば発光ダイオード）を点灯または点滅させてもよい。
【００２９】
リモコン２には、ＭＣＵ（Micro Controller Unit）２１が搭載されており、このＭＣＵ２１に操作部２２と表示部２３が接続されている。
【００３０】
リモコン付イヤホン３の外観図を図２に示す。リモコン２の表面には、操作部２２として、再生・一時停止ボタン２２１，停止ボタン２２２，送りボタン２２３及び戻しボタン２２４の各音楽制御ボタンと、音量の調整を行う音量調整ボタン２２５と、演奏モードを設定する演奏モードボタン２２６と、表示部２３における表示内容の変更を指示する表示ボタン２２７と、お気に入り楽曲の登録を指示するお気に入り設定ボタン２２８の各操作部材が設けられている。また、ＬＣＤ等で構成された表示部２３が設けられている。
【００３１】
リモコン２とプレーヤ本体１とは、イヤホン３のプラグ３０をプレーヤ本体１に設けられたイヤホン接続端子（不図示）に挿着することによって接続される。プラグ３０には、図３の拡大図に示すように、オーディオ信号通信用のピンジャック端子３１と、リモコン信号通信用の送受信端子３２とが設けられている。ピンジャック端子３１には、Ｌ側のオーディオ信号が入力されるＬ端子３１１及びＲ側のオーディオ信号が入力されるＲ端子３１２と、オーディオ信号の接地端子３１３とが設けられている。また、後述するリセット信号が出力されるリセット端子３１４が、当該ピンジャック端子３１に設けられている。
【００３２】
送受信端子３２には、操作部２２の各種ボタン２２１，２２２，２２３，２２４，２２５に対応するコード信号の出力端子３２１と、プレーヤ本体１から供給される信号の入力端子３２２と、リモコン２に対して電源を供給するための電源端子３２３及び接地端子３２４とが設けられている。
【００３３】
かかる構成のプラグ３０をプレーヤ本体１のイヤホン接続端子に接続することによって、図１に示すように、Ｌ端子３１１，Ｒ端子３１２及び接地端子３１３がＤ／Ａコンバータ１６とオーディオ信号ライン４６Ｌ，４６Ｒを介して接続され、出力端子３２１及び入力端子３２２がＣＰＵ１１と制御コマンドライン４７を介して接続され、リモコン電源端子３２３及び接地端子３２４が電源回路部１９とリモコン専用電源ライン４８及び接地ライン４９を介して接続される。また、リセット端子３１４が電源回路部１９とリセット専用ライン５０を介して接続される。
【００３４】
ここで、リモコン２に設けられた各操作ボタン２２１〜２２８の基本機能について説明する。先ず、プレーヤ本体１が音楽停止状態にある場合において、ユーザが再生・一時停止ボタン２２１を１回押圧操作すると、プレーヤ本体１の記憶部１４内に保存されている音楽データが再生され、楽曲が演奏される。この演奏中にもう一度再生・一時停止ボタン２２１を１回押圧操作すると、一時停止モードとなり、楽曲の演奏が中断する。この一時停止モードにおいて再度、再生・一時停止ボタン２２１を１回押圧操作すると、楽曲の演奏が再開される。演奏中に、送りボタン２２３または戻しボタン２２４を短時間（例えば１秒以下）押圧操作すると、次の楽曲または前の楽曲の先頭に移動して演奏を開始する。送りボタン２２３または戻しボタン２２４を長時間押圧操作した場合には、演奏中の楽曲が早送りまたは巻戻し再生され、その速度は、例えば通常の２倍〜５倍と変化する。長押ししている時間が長いほど、早送り速度あるいは巻戻し再生速度は速くなる。演奏中に停止ボタン２２２を押圧操作すると、楽曲の演奏が停止する。
【００３５】
また、楽曲演奏中にユーザが演奏モードボタン２２６を押圧操作すると、その都度「１曲リピート」，「全曲リピート」，「ランダム再生」，「リピートオフ」，「１曲リピート」の順で演奏モードが変更される。また、楽曲演奏中にユーザが表示ボタン２２７を押圧操作すると、その都度「演奏時間」，「残り時間」，「全曲残り時間」，「表示オフ」の順で表示部２３に表示される情報が変更される。他にも、例えば曲名や作曲者名等の切替にも使用できる。また、楽曲演奏中にユーザがお気に入り設定ボタン２２８を押圧操作すると、演奏中の楽曲がお気に入り登録される。この状態で、もう一度押圧操作すると、お気に入り登録が解除される。演奏中の楽曲がお気に入りかどうかは、プレーヤ本体１の記憶部１４内にリストとして保存される。お気に入りの登録／解除だけでなく、お気に入り度を設定できるようにすることも可能である。その場合には、１回押圧操作する度にお気に入り度が増加し、例えばお気に入り度が５段階の場合には、６回押圧操作することでお気に入り度がオフとなる。また、音量調整ボタン２２５の「＋」側を押圧操作すると、イヤホン３から聞こえてくる音量が大きくなり、「−」側を押圧操作すると、逆に音量が小さくなる。以上が、リモコン２に設けられた各操作ボタン２２１〜２２８の基本機能である。
【００３６】
さて、本実施の形態では、プレーヤ本体１側における操作スイッチの削減要望を満足するために、プレーヤ本体１にはホールド機能を兼用した電源ボタン４５を１つだけ設けており、リセットボタンは排除している。そして、プレーヤ本体１のＣＰＵ１１が暴走してハングアップ状態に至った際のリセット技術を実現するために、リモコン２側のＭＣＵ２１に同時押し検出回路６０を内蔵し、プレーヤ本体１側の電源回路部１９にリセット回路７０を内蔵している。そして、イヤホン３のプラグ３０をプレーヤ本体１のイヤホン接続端子に接続することによって、同時押し検出回路６０とリセット回路７０とがリセット専用ライン５０で接続されるようになっている。
【００３７】
同時押し検出回路６０は、図４に示すように、再生・一時停止ボタン２２１が押圧操作されている間だけローレベルになるＰＬＡＹ信号と、演奏モードボタン２２６が押圧操作されている間だけローレベルになるＭＯＤＥ信号と、お気に入り設定ボタン２２８が押圧操作されている間だけローレベルになるＦＡＶＤＲＩＴＥ信号とを反転入力し、その論理積を演算してリセット信号ＲＳＴを出力する論理積ゲート６１で構成されている。
【００３８】
したがって、この同時押し検出回路６０においては、図５に示すように、ＰＬＡＹ信号とＭＯＤＥ信号とＦＡＶＤＲＩＴＥ信号とがいずれもローレベルになると、リセット信号ＲＳＴがハイレベルとなる。その後、ＰＬＡＹ信号，ＭＯＤＥ信号及びＦＡＶＤＲＩＴＥ信号のうちの少なくとも１つの信号がハイレベルになると、リセット信号ＲＳＴがローレベルになる。なお、本実施の形態では、チャタリングを防止するために、ＰＬＡＹ信号とＭＯＤＥ信号とＦＡＶＤＲＩＴＥ信号とがいずれもローレベルになってもその直後にリセット信号ＲＳＴはハイレベルにならず、若干のタイムラグ時間ｄを持ってハイレベルに立ち上がるようになっている。この同時押し検出回路６０から出力されるリセット信号ＲＳＴは、ピンジャック端子３１のリセット端子３１４からリセット専用ライン５０を介して電源回路部１９に供給される。
【００３９】
ここに、同時押し検出回路６０は、リセット信号を発生するリセット信号発生手段を構成する。また、ピンジャック端子３１のリセット端子３１４及びリセット専用ライン５０は、同時押し検出回路６０により発生されるリセット信号をリモコン２からプレーヤ本体に設けられたイヤホン接続端子を介してプレーヤ本体１へ送信するリセット信号送信手段を構成する。同時押し検出回路６０は、論理回路である論理積ゲート６１で構成しており、プレーヤ本体１のＣＰＵ１１とは独立して動作可能である。
【００４０】
リセット回路７０は、図６に示すように、抵抗Ｒ１，Ｒ２とコンデンサＣとから構成される積分回路７１と、前記リセット信号ＲＳＴと当該リセット信号ＲＳＴを前記積分回路７１で積分した信号Ａとの論理積を演算して信号Ｂを出力する論理積ゲート７２と、この論理積ゲート７２の出力信号Ｂを反転してリセットオン信号ＲＳＴＯＮを生成するインバータ７３とで構成されている。
【００４１】
したがって、このリセット回路７０においては、図７に示すように、リセット信号ＲＳＴがハイレベルになると、積分回路７１によって信号Ａの電圧が徐々に高くなり、時定数で設定された時間ｅを経過すると信号Ａがハイレベルとなって、論理積ゲート７２の出力信号Ｂがハイレベルになる。これにより、インバータ７３から出力されるリセットオン信号ＲＳＴＯＮがローレベルとなる。すると、電源回路部１９内のスイッチがオフして、電源４４がプレーヤ本体１から切り離される。その後、リセット信号ＲＳＴがローレベルになると、その直後に論理積ゲート７２の出力信号Ｂがローレベルになるのでリセットオン信号ＲＳＴＯＮがハイレベルとなる。すると、電源回路部１９内のスイッチがオンして、電源４４がプレーヤ本体１と再び接続される。
【００４２】
ここに、リセット回路７０は、リモコン２から送信されるリセット信号ＲＳＴを受信するリセット信号受信手段としての機能と、上記リセット信号ＲＳＴを受信したことに応じてＣＰＵ１１がリセット動作するように電源回路部１９を制御する電源制御手段としての機能を有する。リセット回路７０は、積分回路７１，論理積ゲート７２及びインバータ７３で構成しており、ＣＰＵ１１とは独立して動作可能である。
【００４３】
次に、このように構成された携帯プレーヤの本発明に関わる主要な動作手順について、図８の流れ図を用いて説明する。
【００４４】
先ず、電源オフ状態において、電源ボタン４５が押圧操作されると（Ｓ１）、電源回路部１９内のスイッチがオンし、電源回路部１９からＣＰＵ１１に電力が供給される（Ｓ２）。これにより、ＣＰＵ１１はＲＡＭ１３のクリア等の初期化処理を行った後（Ｓ３）、記憶部１４に保存されている音楽を再生したり、静止画や動画を表示部１７に表示させたり、撮像部１８で静止画を撮像したりするなどの処理を行う（Ｓ４）。
【００４５】
この処理実行中において、電源ボタン４５が押圧操作されると（Ｓ６）、ＣＰＵ１１は、その押圧時間が設定時間（例えば３秒）以上の長押しであるか否かを判断する（Ｓ７）。そして、長押しであった場合には、システムをシャットダウンする処理を実行した後、制御コマンドライン４３を介して電源オフの指示コマンドを電源回路部１９に出力する（Ｓ８）。これにより、電源回路部１９からＣＰＵ１１への電力供給が停止される（Ｓ９）。以上が、正常終了時の動作説明である。
【００４６】
次に、処理実行中にハングアップが発生した異常終了時について説明する。
【００４７】
プレーヤ本体１の何らかの異常によりハングアップして、ＣＰＵ１１から電源回路部１９に電源オフ信号が出力されなくなった場合（Ｓ５）、電源回路部１９では、リセットオン信号ＲＳＴＯＮがローレベルになると（Ｓ１０）、その後、電源回路部１９内のスイッチがオフして、電源回路部１９からＣＰＵ１１への電力供給が実質的に停止される（Ｓ１１）。その後、リセットオン信号ＲＳＴＯＮがハイレベルに復帰すると（Ｓ１２）、電源回路部１９内のスイッチがオンして、電源回路部１９からＣＰＵ１１への電力供給が再開される（Ｓ２）。かくして、ＣＰＵ１１は、電源オフ状態において電源ボタン４５が押圧操作されたときと同様に動作する（Ｓ３，Ｓ４）。
【００４８】
このように動作する本実施の形態の携帯プレーヤにおいては、ＣＰＵ１１がハングアップして、表示部１７に表示されているＧＵＩボタンは勿論のこと、電源ボタン４５の操作入力も受付けなくなった場合には、ユーザは、リモコン２に設けられている再生・一時停止ボタン２２１と演奏モードボタン２２６とお気に入り設定ボタン２２８の３つのボタンを同時に押圧操作する。そうすると、図５中時点ｔ１にて３つのボタンが全て押圧操作された後、若干のタイムラグ時間ｄを経過した後の時点ｔ２にて同時押し検出回路６０から出力されるリセット信号ＲＳＴがハイレベルに変化する。
【００４９】
このリセット信号ＲＳＴは、リセット専用ライン５０を介して電源回路部１９のリセット回路７０に供給されている。そして、このリセット回路７０においては、図７中時点ｔ２にてリセット信号ＲＳＴがハイレベルになると、積分回路７１の時定数で設定された時間ｅを経過した後の時点ｔ３にてその出力信号であるリセットオン信号ＲＳＴＯＮがローレベルとなる。これにより、電源回路部１９からＣＰＵ１１への電力供給が停止される。
【００５０】
その後、時点ｔ４にてユーザが少なくとも１つのボタン（図５の例では再生・一時停止ボタン２２１）から指を離すと、リセット信号ＲＳＴがローレベルに変化する。そうすると、その直後にリセットオン信号ＲＳＴＯＮがハイレベルに復帰する。これにより、電源回路部１９からＣＰＵ１１への電力供給が再開され、ＣＰＵ１１が再立ち上げされてリセットされる。
【００５１】
このように本実施の形態によれば、プレーヤ本体１とリモコン２とがセットになっている携帯型プレーヤにおいて、プレーヤ本体１がリセット入力不能なハングアップ状態となったとしても、リモコン２に設けられている３つのボタンを操作するだけでプレーヤ本体１を簡単に再起動することができる。したがって、ユーザは鞄等からプレーヤ本体１をわざわざ取り出して電池を外すといった煩雑な作業が強いられることはなく、ユーザの負担を軽減できる効果を奏する。
【００５２】
なお、この発明は前記実施形態そのままに限定されるものではなく、実施段階ではその要旨を逸脱しない範囲で構成要素を変形して具体化できる。
【００５３】
例えば前記実施の形態では、同時押し検出回路６０が検出するボタンを再生・一時停止ボタン２２１と演奏モードボタン２２６とお気に入り設定ボタン２２８の３つのボタンとしたが、３つのボタンの組み合わせはこれに限定されるものではない。また、２つのボタンあるいは４種類以上のボタンの同時押しを検出することでリセット信号ＲＳＴを出力するように構成してもよい。あるいはボタンはひとつでも構わない。その際には、そのボタンを長押ししたときにリセット動作が機能するようにするとよい。
【００５４】
また、前記実施の形態では、ＭＣＵ２１を搭載したリモコン２を使用する携帯型プレーヤに本発明を適用したが、ＭＣＵ２１を搭載しないリモコン２を使用する携帯型プレーヤなどの電子機器システムにも、同時押し検出回路６０を改良することによって本発明は適用できるものである。
【００５５】
この場合における同時押し検出回路６０の一構成例を図９に示す。この例は、前記実施の形態と同様に、再生・一時停止ボタン２２１と演奏モードボタン２２６とお気に入り設定ボタン２２８の３つのボタンの同時押しを検出する回路である。
【００５６】
各ボタン２２１，２２６，２２８がいずれも押圧操作されていない状態では、リモコン専用電源ライン４８と接地ライン４９との間は導通しておらず、リモコン専用電源ライン４８の電圧が論理積ゲート６１の各入力にそのまま印加される。これにより、リセット信号ＲＳＴはハイレベルである。
【００５７】
ここで、再生・一時停止ボタン２２１が押圧操作されると、リモコン専用電源ライン４８と接地ライン４９とが抵抗Ｒ３を介して導通し、論理積ゲート６１の入力がローレベルとなる。同様に、演奏モードボタン２２６が押圧操作されると、リモコン専用電源ライン４８と接地ライン４９とが抵抗Ｒ４を介して導通して論理積ゲート６１の入力がローレベルとなり、お気に入り設定ボタン２２８が押圧操作されると、リモコン専用電源ライン４８と接地ライン４９とが抵抗Ｒ５を介して導通し、論理積ゲート６１の入力がローレベルとなる。かくして、論理積ゲート６１の３つの入力がいずれもローレベルになると、リセット信号ＲＳＴがハイレベルとなる。後は、前記実施の形態と同様にハイレベルになったリセット信号ＲＳＴが電源回路部１９のリセット回路７０に入力されて、一定時間経過後にリセットオン信号ＲＳＴＯＮがローレベルとなり、プレーヤ本体１から電源４４が切り離される。その後、再生・一時停止ボタン２２１，演奏モードボタン２２６及びお気に入り設定ボタン２２８のうちの少なくとも１つのボタンから指が離されると、リセット信号ＲＳＴがローレベルとなり、即座にリセットオン信号ＲＳＴＯＮがハイレベルとなって、電源回路部１９からＣＰＵ１１へ電力が供給される。
【００５８】
なお、本発明は、携帯型プレーヤ等のオーディオ再生装置に限定されるものではなく、リモコンを使用して遠隔操作可能な電子機器システム全般に適用できるものである。
【００５９】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６０】
【図１】本発明の一実施の形態である携帯型プレーヤの要部構成を示すブロック図。
【図２】同実施の形態において使用されるリモコン付イヤホンの外観図。
【図３】同実施の形態において使用されるリモコン付イヤホンのプラグ拡大図。
【図４】同実施の形態においてリモコン側に設けられる同時押し検出回路の具体的回路構成図。
【図５】図４に示す同時押し検出回路の要部信号波形図。
【図６】同実施の形態においてプレーヤ本体側に設けられるリセット回路の具体的回路構成図。
【図７】図６に示すリセット回路の要部信号波形図。
【図８】同実施の形態における携帯プレーヤの本発明に関わる主要な動作手順を示す流れ図。
【図９】ＭＣＵを搭載しないリモコンにおける同時押し検出回路の具体的回路構成図。
【符号の説明】
【００６１】
１…プレーヤ本体、２…リモコン（遠隔操作装置）、３…イヤホン、１１…ＣＰＵ、１４…記憶部、１７…タッチパネル付表示部、１９…電源回路部、２１…ＭＣＵ（マイクロコンピュータ）、２２…操作部、２３…表示部、４４…電源、４５…電源ボタン、５０…リセット専用ライン、６０…同時押し検出回路、７０…リセット回路。
【図１】
2006109158.tif 000003
【図２】
2006109158.tif 000004
【図３】
2006109158.tif 000005
【図４】
2006109158.tif 000006
【図５】
2006109158.tif 000007
【図６】
2006109158.tif 000008
【図７】
2006109158.tif 000009
【図８】
2006109158.tif 000010
【図９】
2006109158.tif 000011